(57)【特許請求の範囲】
【請求項１】
本体と、
前記本体に固定され外部の電気機器に接続される一対の第１電気的接続端子と、
前記本体に固定される零磁場調整用電線集合体と、
外部の電源に接続される一対の第２電気的接続端子とを含み、
前記零磁場調整用電線集合体は、前記一対の第１電気的接続端子の一方と前記一対の第２電気的接続端子の一方の間に介設される第１電気導体と、
前記一対の第１電気的接続端子の他方と前記一対の第２電気的接続端子の他方の間に設けられる第２電気導体とを備え、
前記第１電気導体と前記第２電気導体とは、互いに平行に配置され、互いに逆方向に電流が通され、
前記第１電気導体及び第２電気導体には、前記長手方向に延びる螺旋溝面が形成されており、前記電源に接続するプラグを更に含み、前記プラグと前記第２電気的接続端子との間は、電気コードで接続されていることを特徴とする電気接続器。
【請求項２】
前記外部の電源は交流電源であることを特徴とする請求項１記載の電気接続器。
【請求項３】
前記電気機器は動力機器、照明機器、医療機器、食品機器、農業機器、建設機器、繊維機器、又は家庭用機器であることを特徴とする請求項１記載の電気接続器。
【発明の詳細な説明】
【０００１】
【発明の属する技術分野】
本発明は、電気接続器に関し、特に、電気機器にノイズが入りにくく、電気機器がノイズを発生しにくい電気接続器に関する。
【０００２】
【従来の技術】
【０００３】
生体反応が電気的・磁気的である人体は、例えば、磁気バンドが人体の血行に効果的なように、また、核磁気共鳴によりその多様な部位の断面が撮影されるらうに外界の磁気から影響を受ける。
【０００４】
また脳が発する微弱な電流の電力を手指の大きな運動力に増幅するトランジスタ作用が生体機構に存在している。
【０００５】
一般に、磁気と電気は、静的であり、それらが変動しない限り中性物体には作用しなく、また磁気は静止電気に作用しない。
ところで、互いに平行な一対の電線に互いに反対方向に同じ大きさの電流が通される場合、その２本の電線の間の中心線の上の磁場の物理量は零であり、磁束の大きさは零である。
【０００６】
このような磁場は、零磁場といわれれ、その零磁場に置かれる電子のスピンは、その磁場の影響を受ける。
零磁場は、周辺の非零磁場に対して零点調整作用を持っていて、全体の磁場を安定させる。
零磁場が周囲環境の磁気的安定化を誘導することは事実となっている。
零磁場の常態的生成は、ノイズ消去という物理的観測により確認され得て再現可能である。
【０００７】
日常的環境を零磁場の生成による誘導的零点調整によって、周囲の物理的環境を静的に安定化することが行われている。
【０００８】
磁気という雰囲気が、精神的環境を整えることがあり得る。
そのような環境が簡易に低コストで提供されることが望まれる。
【０００９】
【発明が解決しようとする課題】
本発明の課題は、磁気的に環境を整えることができる電気接続器を提供することにある。
本発明の他の課題は、そのような環境を簡易に低コストで生成することができる電気接続器を提供することにある。
【００１０】
【課題を解決するための手段】
本発明は、上記の課題を解決するために下記のような解決手段を具備しているものである。
【００１１】
すなわち、本発明は、（１）、本体と、前記本体に固定され外部の電気機器に接続される一対の第１電気的接続端子と、前記本体に固定される零磁場調整用電線集合体と、外部の電源に接続される一対の第２電気的接続端子とを含み、前記零磁場調整用電線集合体は、前記一対の第１電気的接続端子の一方と前記一対の第２電気的接続端子の一方の間に介設される第１電気導体と、前記一対の第１電気的接続端子の他方と前記一対の第２電気的接続端子の他方の間に設けられる第２電気導体とを備え、前記第１電気導体と前記第２電気導体とは、互いに平行に配置され、互いに逆方向に電流が通され、前記第１電気導体及び第２電気導体には、前記長手方向に延びる螺旋溝面が形成されており、前記電源に接続するプラグを更に含み、前記プラグと前記第２電気的接続端子との間は、電気コードで接続されている電気接続器に存する。
【００１６】
そしてまた、（２）前記外部の電源は交流電源である上記（１）記載の電気接続器に存する。
【００１８】
そしてまた、（３）、前記電気機器は動力機器、照明機器、医療機器、食品機器、農業機器、建設機器、繊維機器、又は家庭用機器である上記（１）記載の電気接続器に存する。
本発明は、その目的に沿ったものであれば、上記１〜３の中から選ばれた２つ以上の条件を組み合わせた構成も採用可能である。
【００１９】
ここで、本発明による電気接続器は、本体（１）すなわちコンセント本体（１）と、本体（１）に固定され外部の電気機器（７）に接続される一対の第１電気的接続端子（１１Ａ）と、本体（１）に固定される零磁場調整用電線集合体（５）と、外部の電源に接続される一対の第２電気的接続端子（１１Ｂ）とから構成されている。
零磁場調整用電線集合体（５）は、一対の第１電気的接続端子（１１Ａ）の一方と一対の第２電気的接続端子（１１Ｂ）の一方の間に設けられる第１電気導体（１２Ａ）と、一対の第１電気的接続端子（１１Ａ）の他方と一対の第２電気的接続端子（１１Ｂ）の他方の間に設けられる第２電気導体（１２Ｂ）とを備えている。第１電気導体（１２Ａ）と第２電気導体（１２Ｂ）とは、互いに平行に配置されている。
【００２０】
第１電気導体（１２Ａ）と第２電気導体（１２Ｂ）には、互いに逆方向に電流が通される。
【００２１】
第１電気導体（１２Ａ）と第２電気導体（１２Ｂ）は、電気機器の負荷が存在する時に、磁気の零点調整を行ってノイズを削減し、電力消費量を削減する。
本発明による電気接続器は、これに入力される電気のノイズを削減し、電気機器が発生するノイズも削減する。
電気機器が発生するノイズが商用電源線に入り込むことを抑制する。
【００２２】
外部の電源は交流電源が好適に例示される。
多くの電気機器が商用電源により駆動される日常生活の中で、交流電源は日常的に使用され、第１電気導体（１２Ａ）と第２電気導体（１２Ｂ）とに逆方向に電流を流す回路構成を取る。
【００２３】
第１電気導体（１２Ａ）及び第２電気導体（１２Ｂ）には、長手方向（電流方向）に延びる螺旋溝面（１５Ａ）及び螺旋溝面（１５Ｂ）が形成されている。
螺旋溝面（１５Ａ，１５Ｂ）は、ノイズ削減効果を一層に促進する。
また電源に接続するプラグ（２）が追加される。
このプラグ２の追加により、本発明による電気接続器（１０）は、タップ型コンセント又はプラグとして、有用される。
プラグ（２）と第２電気的接続端子（１１Ｂ）との間が電気コードで接続されることにより、その利便性が増大する。
【００２４】
第１電気導体（１２Ａ）は複数本に分割されることは、ノイズ低減効果を更に増大する。
第１電気導体（１２Ａ）が複数本に分割され、同時に、第２電気導体（１２Ｂ）が複数本に分割され場合、第１電気導体の複数本のうちの任意の１本は、第２電気導体の複数本のうちの１本に近接し、零点調整機能は飛躍的に増大する。
【００２５】
【発明の実施の形態】
図に対応して、本発明による電気接続器の実施の形態は、タップ状のコンセントとして提供される。
そのコンセントは、図１に示されるように、通常、樹脂で成形されるコンセント本体１と、１００Ｖ又は２２０Ｖの商用交流電源線に電気的に接続するプラグ２とから構成されている。
【００２６】
プラグ２は、プラグ本体３と一対の電気的接触端子４とから構成されている。
なお、プラグ本体は指掛かりのための凹凸面に形成されることが好ましい。
一対の電気的接触端子４には、交流電圧が印加される。
コンセント１は、零磁場調整用電線集合体５と、電気的接続集合体６とから構成されている。
電気的接続集合体６は、雌側電気的接続端子（図示されず）に使用対象となる電気機器７の接続プラグ８を電気的に接続するための接続穴９の集まりとして形成されている。
電気的接続集合６は、市販されているいわゆるタップ状コンセントと同一と考えてよい。
【００２７】
零磁場調整用電線集合体５は、２対の電気的接続端子１１Ａ，１１Ｂと、零磁場調整用電線体１２とから形成されている。
一方の１対の電気的接続端子１１Ｂは、交流用電線コード１３を介して、接続端子４に接続されている。
他方の１対の電気的接続端子１１Ａは、接続穴９を介して接続プラグ８の接続端子１４にそれぞれに接続することができる。
【００２８】
零磁場調整用電線体１２は、単純に２本の電気導体１２Ａ，１２Ｂである。
電気導体１２Ａ，１２Ｂは、単純に、金属、例えば、金の円柱棒、銅の円柱棒等のような良電気伝導体の金属棒が使用されることが好ましい。
電気導体１２Ａ，１２Ｂは、ねじれに強く、伸縮性に乏しく、応力変形を受けにくい硬い材料であることが好ましく、細いしなやかな電線は好ましくない。
電気導体１２Ａの中心線は、電気導体１２Ｂの中心線に平行に、設定されている。
電気導体１２Ａに正方向に電流Ｉ・ｓｉｎθを流し、電気導体１２Ｂに負方向に電流Ｉ・ｓｉｎθを流せば、電気導体１２Ａ，１２Ｂのそれぞれの中心線から等距離にある１直線上には、零磁場が生成する。
【００２９】
ここで、θは時間ｔの一次関数である。
適正な次元定数がＫで表されれば、電気導体１２Ａに流される電流Ｉ・ｓｉｎθにより生成される磁場は、Ｋ・Ｉ・ｓｉｎθ／ｒ１であり、電気導体１２Ｂに流される電流Ｉ・ｓｉｎθにより生成される磁場は、−Ｋ・Ｉ・ｓｉｎθ／ｒ２である。
ここで、ｒ１とｒ２は、それぞれに、それぞれの中心線からの距離である。
既述の１直線上では、ｒ１＝ｒ２であるから、その１直線上に生成される磁場Ｈ０は、
Ｈ０＝Ｋ・Ｉ・ｓｉｎθ／ｒ０−Ｋ・Ｉ・ｓｉｎθ／ｒ０＝０
ここで、ｒ０は電気導体１２Ａ，１２Ｂの中心線と既述の等距離線との間の距離である。
【００３０】
このような零磁場Ｈ０は、外部の磁気的物理環境が変動した場合にその磁気的物理環境が変動を抑制するように働く性質がある。
図２（ａ）は、市販の通常のコンセントの一対の接続端子の一方の電圧を示し、図２（ｂ）は、電気接続端子１４を接続穴９に通し、プラグ２を商用電源に差し込み、使用対象となる電気機器７（例示：家庭用電気冷蔵庫）を動作させて、電気的接触端子４の一方の電圧を測定した測定結果を示している。
【００３１】
本発明のコンセント１０を使用した場合に、市販のコンセントを用いた場合に比べてノイズが減少することは、零磁場調整用電線集合体５の零磁場零点調整効果が現実に現れ、零磁場調整用電線集合体５の零磁場零点調整作用が誘導されて、使用対象となる電気機器７の中の磁気的乱れが抑制され、整流効果が発揮されていることを示している。
このような抑制効果は、使用対象となる電気機器７の電子回路の磁気的乱れを抑制するだけでなく、零磁場調整用電線集合体５の周囲の磁気的物理環境の変動を吸収してその磁気的物理環境の変動を抑制することができる。
【００３２】
図３は、本発明による電気接続器の実施の他の形態を示している。
図３に示される２本の電気導体１２Ａ，１２Ｂは、図１の２対の電気的接続端子１Ａ，１１Ｂの間にそれぞれに設けられる。
図３に示す電気導体１２Ａ，１２Ｂが図１に示す電気導体１２Ａ，１２Ｂと異なる点は、図１に示す電気導体１２Ａ，１２Ｂの表面が完全に円柱面であることに対して、図３に示す電気導体１２Ａ，１２Ｂの表面は、螺旋溝面１５Ａ，１５Ｂが部分的に形成されていることである。
【００３３】
螺旋溝面１５Ａ，１５Ｂは、長手方向（電流方向）に設けられた螺旋溝の溝面として形成されている。
後述するように、実験結果は、螺旋溝面の存在がノイズを更に低減することを示している。
螺旋溝の右巻きと左巻きがノイズ低減効果に絶対的に又は相対的に影響するかどうかは、現在の実験器具の精度の範囲では必ずしも明確ではない。
図３の一対の電気導体１２Ａ，１２Ｂの螺旋巻きの相対的左右性は、実験精度の範囲では特定されることに意義がない。
【００３４】
図４は、本発明による電気接続器の実施の更に他の形態であり、左右巻きの影響を実験するために製作された形態を示している。
先述した図３の電気導体１２Ａに相当するものが、３本の電気導線１２Ａ１，１２Ａ２，１２Ａ３に分割されている。
【００３５】
また図３の電気導体１２Ｂに相当するものは、そのままが使用されている。
３本の電気導線１２Ａ１，１２Ａ２，１２Ａ３のうちの１本１２Ａ１の表面には、１条の１重螺旋溝により１条の１重螺旋溝面１５Ａが形成されている。
他の１本の１２Ａ２の表面には、２条の交叉１重螺旋溝により、２条の交叉１重螺旋溝面１５Ａ１，１５Ａ２が形成されている。
更に他の１本の１２Ａ３の表面には、１条の１重螺旋溝により１条の１重螺旋溝面１５Ａ３が形成されている。
螺旋の左右巻と条数の組合せは、無数に存在し得るが、実験結果はそのノイズ削減効果に明白な差異があることまでは示していない。
【００３６】
図５は、本発明による電気接続器の実施の更に他の形態であり、図４の実施の形態における電気導体１２Ｂに電気導体１２Ａと同様な３本の電気導線１２Ａ１，１２Ａ２，１２Ａ３を用いたものである。
実験結果は、螺旋巻きの角度がそのノイズ削減効果に影響することを示している。
【００３７】
図６は、螺旋巻きの存在とノイズ削減効果との関係と、その螺旋角度（リード角）とノイズ削減効果との関係とを確認するための実験装置を示している。
電気機器７として、ここでは、発生させるノイズが大きい電気ドライヤーが用いられている。
【００３８】
零磁場調整用電線集合体５の電気導体として、図３に示されるような螺旋巻き方向が相対的に同じである電気導体１２Ａ，１２Ｂが用いられている。
電気導体１２Ａ，１２Ｂの長さは共に２５０ｍｍであり、その直径は共に６ｍｍである。
３つの試料は、それぞれの螺旋角度（θ）が８０度、５２度、２０度である。１つの比較試料には、螺旋溝面は設けられていない。
【００３９】
電源は、１００Ｖ商用交流電源であり、測定機器は二現象オシロスコープ１６を使った。
電気導体１２Ａ，１２Ｂのそれぞれの一方側に、測定用入力側プラグ１７が接続されている。
電気導体１２Ａ，１２Ｂのそれぞれの他方側に、測定用出力側プラグ１８が接続されている。
【００４０】
測定用入力側プラグ１７の２出力端子１９の電圧出力は、二現象オシロスコープ１６の一方の入力端子から入力される。
測定用出力側プラグ１８の２出力端子２１の電圧出力は、二現象オシロスコープ１６の他の入力端子から入力される。
二現象オシロスコープ１６は、これに入力される２入力が互いに影響しない遮蔽性能を有している。
螺旋角度（θ）が黄金角と言われる５２度であると、ノイズ削減効果を最大にする。
【００４１】
図７（ａ），（ｂ）は、溝のリード角が５２度である溝有り試料の実測結果を示している。
図７（ａ）は、測定用入力側プラグ１７の２出力端子１９の電圧出力を示している。
図７（ｂ）は、測定用出力側プラグ１８の２出力端子２１の電圧出力を示している。
２出力端子１９にノイズ２２が存在する電流は、零磁場調整用電線集合体５を通過することによりそのノイズ２２が除去されて、２出力端子２１に出力していることを示している。
零磁場調整用電線集合体５が置かれている周囲の物理的環境は、磁気的に乱れはない。
【００４２】
このような螺旋溝は、螺旋溝に代えられ螺旋突起（これにより螺旋突起面が形成される）としても有効となる。
図１の接続プラグ８により使用対象となる電気機器７の中に供給される電力は、電気機器７の特性をより助長する。
例えば、電気機器７を冷蔵庫とすると、その中に配置される殺菌灯において、ある種のノイズが削減された光は、殺菌用として効果があるよりも、生体特に生鮮食料品の生理活性化に有効である。
ノイズが削減された殺菌灯の放射光は、殺菌効果とともに生理活性効果を発揮する。
生理活性効果を持つことが知られているある種の放射光は、生理活性効果を阻害するノイズ成分が削減された光であるということは、今の段階では推定的にいえよう。
【００４３】
図８は、本発明による電気接続器の実施の更に他の形態を示した図である。
図８に示される形態は、ノイズ削減効果を更に増強する。
２本の交流電線（電気導体）又は逆方向に電流が流れる２本の直流電線（電気導体）は、極端には、その間隔が無限小に小さい場合、大域的零磁場効果を発現する。
図８に示されるように、隣り合う２つの電気導体には、互いに逆方向に電流が流れている。
【００４４】
本実施の形態では、多数（極端には無数）の電気導体である電線が用いられている。
電気導体の集合の半分の電気導体（ユニット）には正方向ａの電流が通され、電気導体の集合の他の半分の電気導体（ユニット）には、負方向ｂの電流が通される。
半分の電気導体１２Ａ（Ａ１  Ａ２  Ａ３・・・Ａｎ）の両端は、両側の電気的接続端子１１Ａ，１１Ｂに固定されている。
他の半分の電気導体１２Ｂ（Ｂ１  Ｂ２  Ｂ３・・・Ｂｎ）の両端は、両側の他の電気的接続端子１１Ａ，１１Ｂに固定されている。
接近して隣り合う電気導体のユニットは、大域的に零磁場を生成し、互いに零点調整を誘導しあって、周囲の物理的環境（例示：１つの部屋の全内部空間）を静的零磁気場に改変する。
【００４５】
ここで電気導体１２の表面に下記される塗料が塗られ又は蒸着されると、本発明の電気接続器としてはより効果的である。
トルマリン粉末・・・４０重量％
酸化チタン・・・・・１０重量％
マラカイト・・・・・１０重量％
ラピス・・・・・・・２０重量％
セリサイト・・・・・１０重量％
磁気鉄鉱粉末・・・・１０重量％
これらの成分粉末は、単に一例に過ぎず、トルマリンを最大量とする限り種々の混合割合が採用でき、この内の幾つかの成分の組み合わせとすることも可能でである。
また、他の成分を加えることも可能である。
これらの成分粉末は、例えば、８０℃熱湯の中で混合され練られ乾燥され、有機薬品液に溶かされて塗布され、電気溶解炉中で電気導体の表面に蒸着される。
【００４６】
電気導体１２は、パイプ状にも形成されて使用され得る。
この場合、螺旋溝面は、その内周面側にも形成され得る。
逆方向に電流を流す２本線は、硬い絶縁体の表裏面に形成される得る。
２本の電気導体１２は、直線状であることに限られず、並行・平行的に螺旋状に、並行・平行的に渦巻き状に形成され得る。
【００４７】
零磁場調整用電線集合体５は、コンセント、プラグ、タップのような電気接続器の中にコンパクトに収められ、低コストで大量に生産され得る。
図７に示される実施の形態は、人が集まる空間の場に配置されると効果的である。
ノイズ削減効果は、結果的に電力削減効果を導く。
【００４８】
以上、本発明を説明したが、本発明は上記の実施の形態に限定されることなく、その目的に沿う限り種々の変形例が可能である。
例えば、電気導体は、金、銅に限られず他の金属材料であってもよく、炭素棒であってもよい。
第１電気導体や第２電気導体に形成する螺旋溝面は、螺旋突起面（螺旋状の突起により形成される）でもよく、またそれらが複数螺旋状（例えば二重螺旋状）であってもよい。
そして、それらの螺旋溝又は螺旋突起の螺旋角度は黄金角（約５２度）の場合がより好ましい。
また、本発明の電気電接続器に接続する対象となる電気機器としては、例えば、動力機器、照明機器、医療機器、食品機器、農業機器、建設機器、繊維機器、又は家庭用機器が使用されるが、その他の機器も当然可能である。
【００４９】
【発明の効果】
本発明による電気接続器は、ノイズを削減して周囲の環境を静的にし、且つ、電力削減効果があり、コンセントのような電気接続器としてコンパクトに低コストで提供され得る。
【００５０】
本発明による電気接続器は、殆ど負荷を持たず、電気機器が用いられる間だけ、その電気機器が生成するノイズを削減する。
更に、以上のような効果以外にも波動エネルギーに関する好影響を与える。
この点は、今後、高く評価されてくるものである。
【図面の簡単な説明】
【図１】図１は、本発明による電気接続器の実施の形態を示す断面図である。
【図２】図２は、実証データを示すグラフである。
【図３】図３は、本発明による電気接続器の実施の形態を示す平面図である。
【図４】図４は、本発明による電気接続器の実施の他の形態を示す平面図である。
【図５】図５は、本発明による電気接続器の実施の更に他の形態であり、図４の実施の
【図６】図６は、実証試験装置を示す回路ブロック図である。
【図７】図７は、他の実証データを示すグラフである。
【図８】図８は、本発明による電気接続器の実施の更に他の形態を示す断面図である。
【符号の説明】
１…コンセント本体
２…プラグ
５…零磁場調整用電線集合体
６…電気的接続集合体
７…電気機器
１０…電気接続器
１１Ａ…電気的接続端子（第１電気的接続端子）
１１Ｂ…電気的接続端子（第２電気的接続端子）
１２…零磁場調整用電線体
１２Ａ…電気導体（第１電気導体）
１２Ｂ…電気導体（第２電気導体）
１５Ａ（１５Ａ１，１５Ａ２，１５Ａ３）…螺旋溝面
１５Ｂ（１５Ｂ１，１５Ｂ２，１５Ｂ３）…螺旋溝面
【図１】
0004780632.tif 000002
【図２】
0004780632.tif 000003
【図３】
0004780632.tif 000004
【図４】
0004780632.tif 000005
【図５】
0004780632.tif 000006
【図６】
0004780632.tif 000007
【図７】
0004780632.tif 000008
【図８】
0004780632.tif 000009